(57)【要約】厨芥処理装置【課題】  本発明の目的は、電動機焼損防止手段の作動と電動機の回転していない状況を、使用者により確実にわかりやすく報知することができる、より安全で安価な厨芥処理装置提供することにある。【解決手段】  本発明では、電動機焼損防止手段の動作解除手段が電動機に流れる過電流を検知すると押し出されることを利用して焼損防止作動検出手段の検出機構を作動させることを特徴とする厨芥処理装置を提供するものである。【選択図】  図２
2005095840.tif 000002
【特許請求の範囲】
【請求項１】
排水口の下方に配設されて、電動機の回転駆動により前記排水口から投入される厨芥を粉砕処理する粉砕手段と、該電動機に流れる電流値を検知し、過電流が流れた場合に電動機への電流を遮断し電動機の過熱を防ぐ電動機焼損防止手段と前記電動機焼損防止手段が作動し電動機への電流を遮断したことを検知する焼損防止作動検出手段と、該電動機焼損防止手段が作動し電動機が回転しないことを報知する警報手段と、厨芥処理装置の運転を入・切する電源スイッチと、厨芥処理装置の動作を制御する制御手段とを備えた厨芥処理装置において、前記焼損防止手段に動作解除手段、焼損防止作動検出手段に検知釦を設け、前記動作解除手段は一端を軸で固定し、軸を中心に回動可能とした羽板状の平板を介して検知釦と相対するように配置され、動作解除手段が、電動機に流れる過電流を検知し、前記平板を介して検知釦を押す動作によって前記焼損防止作動検出手段が前記焼損防止手段の作動を検知することを特徴とする厨芥処理装置。
【請求項２】
前記制御手段および前記焼損防止作動検出手段、警報手段の電源供給線が、電動機焼損防止手段と前記電源スイッチよりも電源側に接続され、
前記電源スイッチの開閉にかかわらず、前記電動機焼損防止手段の作動を常時検知し報知できることを特徴とする請求項１記載の厨芥処理装置。
【請求項３】
使用者が厨芥処理装置の運転の指示を入力する操作器を具備し、前記焼損防止作動検出手段が前記電動機焼損防止手段による電動機への電流を遮断したことを検知した場合に、電動機焼損防止手段をリセットして閉状態にして該厨芥処理装置を作動させようとしても、使用者が一度操作器を操作して電動機が作動しないように指示するまでは操作器で厨芥処理装置を作動させようとしても電源スイッチを通電させないような制御を行う制御手段を備えて構成したことを特徴とする請求項１、２記載の厨芥処理装置。
【請求項４】
前記厨芥処理装置において、排水口に着脱自在に被着される蓋体と、蓋体の排水口への被着状態を検出する蓋体検出手段とを備え、蓋体が排水口と被着状態のときに電動機への通電を行う制御手段を設けたことを特徴とする請求項１、２、３記載の厨芥処理装置。
【発明の詳細な説明】
【技術分野】
【０００１】
本発明は、一般家庭の台所や業務用の調理場等において発生する厨芥を電動機の駆動力で粉砕処理する厨芥処理装置に係り、特に電動機の過負荷による事故を防ぐのに好適な、前記電動機の過負荷状態を検知し電動機の焼損を防止する電動機焼損防止手段と、前記電動機焼損防止手段が動作して電動機への通電を遮断したことを報知する警報手段を具備した厨芥処理装置に関する発明である。
【背景技術】
【０００２】
従来の厨芥処理装置における電動機焼損防止手段および警報手段としては、電動機と直列に検出用抵抗を配置し、検出用抵抗の両端に発生する電圧により電動機の過負荷を検出する事例があった。（例えば、特許文献１参照。）
また、電動機の過負荷状態の報知をより確実にし、加えて少ない部品数で過負荷保護装置および警報装置を構成するために、電動機焼損防止手段と並列に警報手段を具備する例もあった。（例えば、特許文献２参照。）
【０００３】
【特許文献１】特開５３−８３０５０号公報
【特許文献２】特許第３３３７９４６号公報
【発明の開示】
【発明が解決しようとする課題】
【０００４】
従来の厨芥処理装置では、電動機の過負荷による焼損を防止する手段として電動機焼損防止手段を備えてはいるものの、電動機の過負荷状態および該電動機焼損防止手段の作動状態を電動機への通電の有無および厨芥処理装置の電源スイッチの通電の有無に関わらず報知しつづける手段は備えられていなかった。
前記特開５３−８３０５０号公報の厨芥処理装置においては、前記電動機の過負荷状態を報知する警報手段を備えているが、電動機焼損防止手段が電動機への電力供給を遮断すると警報動作が終了してしまうため、厨芥処理装置の作動しない原因を使用者は認識することができず、厨芥処理装置の故障と誤認する場合があった。
さらに前記特許第３３３７９４６号公報においては、電動機焼損防止手段が電動機への電力供給を遮断しても警報動作が終了しないように工夫されたものであったが、厨芥処理装置の電源スイッチを通電した状態でないと警報手段が動作しない仕組みになっており、電動機が過負荷状態にあることを使用者が認識できない場合があった。
【０００５】
また、特開５３−８３０５０号公報および特許第３３３７９４６号公報のどちらにおいても、厨芥処理機の電源スイッチを閉にしたまま電動機焼損防止手段をリセットすると電動機が急に回転を始め、使用者が怪我をしたり、事故を起こしたりする場合があった。
【０００６】
さらに両発明とも、電動機焼損防止手段が動作して電動機への回路を遮断したことを検知するために特別な専用部品が必要であり、安価に発明を実施するのが難しかった。
【０００７】
本発明は、上記問題を解決するためになされたもので、本発明の目的は、厨芥処理装置の運転を入・切する電源スイッチの開閉にかかわらず、電動機焼損防止手段の作動状態と電動機の作動状況を、使用者に確実にわかりやすく報知することができ、さらに電動機焼損防止手段をリセットした時に急に電動機が回転することを防ぎ、加えてごく一般的に廉価で流通している部品を利用することにより、より安全で安価な厨芥処理装置を提供することにある。
【課題を解決するための手段】
【０００８】
上記目的を達成するために請求項１は、電動機の回転駆動により前記排水口から投入される厨芥を粉砕処理する粉砕手段と、該電動機に流れる電流値を検知し、過電流が流れた場合に電動機への電流を遮断し電動機の過熱を防ぐ電動機焼損防止手段と前記電動機焼損防止手段が作動し電動機への電流を遮断したことを検知する焼損防止作動検出手段と、該電動機焼損防止手段が作動し電動機が回転しないことを報知する警報手段と、厨芥処理装置の運転を入・切する電源スイッチと、厨芥処理装置の動作を制御する制御手段とを備えた厨芥処理装置において、
前記焼損防止手段に動作解除手段、焼損防止作動検出手段に検知釦を設け、前記動作解除手段は一端を軸で固定し、軸を中心に回動可能とした羽板状の平板を介して検知釦と相対するように配置され、動作解除手段が、電動機に流れる過電流を検知し、前記平板介して検知釦を押すことよって前記焼損防止作動検出手段が前記焼損防止手段の作動を検知することを特徴とする厨芥処理装置を提供するものである。
【０００９】
請求項１に記載された厨芥処理装置では、通常の運転状態においては、電動機に流れる電流値は適正で、電動機焼損防止手段は閉状態となっており、該電動機焼損防止手段の動作解除手段は押し込まれた状態になっている。
【００１０】
しかし電動機に過大な負荷がかかり、回転が非常に遅くなるあるいは停止すると電動機に過大な電流が流れ、そのままでは電動機の過熱により厨芥処理装置が焼損する恐れがある。これを防ぐために、電動機焼損防止手段が設置されており、電動機に流れる過電流を検出すると電動機への回路を開にして電流を遮断するとともに、該電動機焼損防止手段の動作解除手段が押し出される。この動作解除手段は電動機への負荷が正常となり過電流が流れない状態になったときに、使用者が該電動機焼損防止手段の動作を解除して回路を閉にして電動機を再び動作させるようにするための釦である。
【００１１】
請求項１に記載された厨芥処理装置では、電動機焼損防止手段の動作解除手段が押し出されると、平板を介して焼損防止作動検出手段の検知釦を押すことになり、これにより焼損防止作動検出手段は電動機焼損防止手段が動作して電動機への電流が遮断されたことを制御手段に通知する。制御手段は焼損防止作動検出手段から電動機焼損防止手段の動作を通知されると、ランプ等の警報手段により使用者に電動機が回転しないことを報知する。
【００１２】
請求項１の厨芥処理装置で使われる焼損防止作動検出手段は、日用品や産業用に一般的に用いられている押し釦や近接スイッチを使用することが可能であり、非常に安価に本発明を実施することが可能である。
【００１３】
さらに請求項２に記載された厨芥処理装置では、制御手段、および焼損防止作動検出手段への電源線が電動機焼損防止手段および電源スイッチより電源側に接続されている。ここで本発明における電源スイッチとは、電動機への回路の開閉を行い、電動機の駆動・停止を制御するものとして、従来の発明における手動スイッチと同じ役割を果たすものである。このような接続により、電動機焼損防止手段が動作して接続が開となっている、あるいは電源スイッチが開となっている状態でも、制御手段、および焼損防止作動検出手段は電力供給が続けられ動作することができ、電動機焼損防止手段が動作して電動機が回転しないことを連続して報知することが可能である。
【００１４】
請求項３は、請求項１、２記載の厨芥処理装置において、焼損防止作動検出手段が電動機焼損防止手段による電動機への電流を遮断したことを検知した場合に、電動機焼損防止手段をリセットして閉状態にして厨芥処理装置を作動させようとしても、使用者が一度操作器を操作して電動機が作動しないように指示するまでは操作器で厨芥処理装置を作動させようとしても電源スイッチを通電させないような制御を行うものである。従来の厨芥処理装置では電動機の過負荷状態を解消した後、手動スイッチを閉にしたまま電動機焼損防止手段をリセットして閉状態にするとすぐに電動機が回り始め、使用者が怪我をする恐れがあった。また厨芥処理装置の電動機の過負荷状態を解消するために、厨芥処理装置をキッチンのシンクなどの固定部分から外しておいた状態では、突然電動機が回転し始めると、厨芥処理装置およびそのまわりの機器を破損する恐れもあった。それらの危険の防止として、電動機を再び回転させるためには使用者が厨芥処理装置の操作器を意図的に操作しなければならないようにして、使用者の注意を喚起するようにしたものである。
【００１５】
請求項４は、請求項１、２、３記載の厨芥処理装置において、排水口に着脱自在に被着される蓋体と、蓋体の排水口への被着状態を検出する蓋体検出手段とを備え、蓋体が排水口と被着状態でなければ電動機への通電しない制御手段を設けたものである。これにより、蓋体が開いている状態では決して電動機が回転することはなく、蓋体が閉じている状態で電動機が回転する時には、使用者が手などを厨芥処理装置内部に入れることが決してできないので、厨芥処理装置による手などの怪我の発生をより確実に防ぐことができる。
【発明の効果】
【００１６】
本発明によれば、厨芥の量の過大投入や粉砕困難な厨芥の投入により、電動機の回転数が低下あるいは停止して過大な電流が流れると電動機焼損防止手段が作動し、電動機に流れる電流を遮断する厨芥処理機において、該電動機焼損防止手段の作動をすみやかに検知することができる。それにより、該電動機焼損防止手段の作動していることを使用者に警告灯や警告音によって報知することができ、使用者が厨芥処理装置が動作しないことに不要な疑問を抱かないと共に、すみやかに電動機の回転数を低下あるいは停止させた要因を取り除き、厨芥処理装置を正常な状態に戻すことが可能となる。
【００１７】
さらに該電動機焼損防止手段の作動を検知した場合は、操作器を操作して厨芥処理装置を作動させようとしても、電動機焼損防止手段が通電するまでは電源スイッチを閉としないような制御を行うことで、電動機の絶縁不良などによる電流の漏れを確実に防ぐことができ、火災などに対してより安全性を高めることができる。
【００１８】
また請求項３や請求項４のような制御を行うことで、使用者の怪我、事故を防ぐことができ、使用者がより安全に厨芥処理装置を利用することが可能となる。
【００１９】
そして、本発明を実施するに特別な部品を必要とせず、ごく一般的に流通している部品を組み合わせることで安価に上記の効果を得ることが可能である。
【００２０】
このように本発明によれば、簡便で安価なしくみでかつ、使用者の利便性を高めると共に、火災や使用者の怪我、事故などに対してより確実に防ぐことができる厨芥処理装置を提供することが可能となる。
加えて、従来の発明では電動機焼損防止手段や電源スイッチの状態によっては電動機焼損防止手段の動作の警報装置が作動しない場合がある欠点があったが、本発明によれば、電動機焼損防止手段や電源スイッチの状態如何にかかわらず警報装置が動作することができ、より使用者の利便性と安全性が向上した厨芥処理装置を提供することが可能となる。
【発明を実施するための最良の形態】
【００２１】
以下、本発明の実施の形態を、図１を参照しながら説明する。図１は本発明の実施形態のひとつで、機器の全体を示している。
【００２２】
本発明の厨芥処理装置２は、台所のシンク１の下方に配設され、厨芥を投入する投入口２２と、投入口２２に蓋をして安全を確保する蓋体１８と、厨芥を粉砕する粉砕室３と、粉砕した厨芥を排出する厨芥排出口６および排出管７と、厨芥を粉砕するための動力を供給する電動機１３と、厨芥処理装置２を制御する制御機器を納めた制御ボックス１４から構成される。
【００２３】
厨芥処理装置２はシンク１底部に環状の筒部により連結される。厨芥は投入口２２より投入され、粉砕室３で細かく粉砕された後に、排出口６から排出管７へと排出される。
【００２４】
厨芥処理装置２の投入口２２の外側の側面には、弾性体および取付部材よりなる支持部材２１が、片側は投入口２２に取り付けられ、もう片側はコンテナボディ４上部に連結されている。この支持部材２１は厨芥処理装置２の粉砕室３より下部を支持するとともに、粉砕室３や電動機１３より発生する振動を吸収し、振動をシンク１に伝えないようにしている。
【００２５】
粉砕室３底部には投入された厨芥を受け止め、粉砕時には回転して厨芥を遠心力で外側に押し出す円板８と、該円板８の両端付近に一対で対称的に配設され、厨芥を粉砕するための回転刃９が取り付けられている。また粉砕室３の外殻を成す半円錐状のコンテナボディ４には、底部近くの内面側に、櫛状の切り抜きがある板あるいは内面に凹凸をもつ円環の形状をした固定刃１０がある。
【００２６】
動作時には、円板８が回転することにより遠心力で厨芥が円板８の外側に押し出され、ここで円板８と一緒に回転する回転刃９が厨芥をコンテナボディ４内面の固定刃１０に押しつけ、固定刃１０の櫛状の切り抜きまたは凹凸により厨芥を細かく粉砕する。
粉砕された厨芥は、円板８と固定刃９の隙間から水によって排出室５に洗い落とされ、さらに排出口６を通って排水管７へと排出される。
【００２７】
円板８は下面に支持板１１が取り付けられており、支持板１１の中心は電動機１３の回転軸１２に固定されており、該電動機１３の動力により円板８および回転刃９が回転するようになっている。
【００２８】
電動機１３の円筒状の外板には、厨芥処理装置の制御装置３０や電動機焼損防止ユニット１５を収納した制御ボックス１４が配置されている。
さらに厨芥処理装置の動作と停止を操作する操作盤１７が、制御線１６によって該制御ボックス１４と接続されている。
【００２９】
またこの厨芥処理装置には、請求項４に該当する厨芥の投入口２２に着脱自在に装着される蓋体１８がある。この蓋体１８の内部には磁性体１９が挿入されている。さらに投入口２２を構成する円筒状の外殻の外側に、磁気を検出する蓋体検出装置２０が配置されている。
【００３０】
蓋体１８が投入口２２に被着されると、磁気を発生する磁性体１９が蓋体検出装置２０に接近する。蓋体検出装置２０は磁性体１９の磁気を検出すると内部のスイッチを閉にして、蓋体１８が装着されたことを制御手段３０へ通知するしくみとなっている。
【００３１】
制御手段３０は蓋体検出装置２０より通知される蓋体１８の被着情報から、厨芥処理装置の投入口２２が閉じられており、手などが入れられない安全な状況であることを確認できた場合のみ、電源スイッチ３１を閉にして電動機１３を駆動する。また電動機１３が駆動状態の時に蓋体１８が外された場合はこれを即座に感知し、通電制御手段３１を開にして回路を遮断して電動機１３を停止させる。
【００３２】
これにより、蓋体１８が被着されておらず手などを入れることができる状態では決して電動機１３が駆動することはなく、厨芥の粉砕時に作業者が怪我などをする危険をなくすことが可能となる。
【００３３】
図２において、請求項１における電動機焼損防止ユニット１５の実施例を示す。電動機焼損防止装置５０は、制御ボックス１４に固定されたコの字形状の支持材５１の上に配設されている。電動機焼損防止装置５０の動作解除釦５５は平板５４を挟んで操作釦５７と接続しており、電動機焼損防止装置５０が動作して動作解除釦５５が押し出された時は、使用者は操作釦５７を押すことにより動作解除釦５５を押し込むことができるようになっている。
【００３４】
動作解除釦５５と操作釦５７に挟まれた平板５４は、支持材５１の一端を軸としており、他端は自由に動く状態で、軸と動作解除釦５５と接する部分の間で焼損防止作動検出手段５３の検知釦５６と接するように配置されている。ここで電動機焼損防止装置が動作して動作解除釦５５が押し出されると、平板５４も同時に押し出され焼損防止作動検出手段５３の検知釦５６を押し込むことになり、これにより焼損防止作動検出手段５３が電動機焼損防止装置５０の動作を検知することができる。
【００３５】
なお本実施例では焼損防止作動検出手段５３として産業用として広く流通している近接スイッチを利用しているが、これに一般的に使われている押ボタンスイッチや他の機械的スイッチ、磁気的スイッチ等を利用することも可能である。
【００３６】
次に図３にて、請求項２および請求項４の回路と制御の動きを示す。
本実施例では電源から直列に、通電制御手段３１と電動機１３と電動機焼損防止装置５０が接続されている。また厨芥処理装置の動作を制御する制御手段３０の電源線は、電源スイッチ３１や電動機焼損防止装置５０と並列に接続されており、常時電源供給が行われているので、電源スイッチ３１や電動機焼損防止装置５０の開閉に関わらず制御手段３０は常に動作している。
【００３７】
また制御手段３０には、厨芥処理装置の操作を行い、かつ運転状況や電動機焼損防止装置の作動状況を報知する操作盤１７と、電動機焼損防止装置の作動状況を音で報知するブザー３２と、焼損防止作動検出手段５３と、蓋体の着脱を検知する蓋体検出手段２０と通電制御手段３１が接続されている。制御手段３０は操作盤１７と焼損防止作動検出手段５３と蓋体検出手段２０の状況から、通電制御手段３１を開閉することで電動機１３の回転を制御している。
【００３８】
ここで制御手段３０の動作を詳細に説明する。
まず蓋体検出手段２０が蓋体１８を検出しない時は操作盤１７の運転ランプ４２を消灯し、厨芥処理装置が動作しないことを報知する。蓋体検出手段２０が蓋体１８を検出した時は、蓋体が装着されており安全性が確保されているので、厨芥処理装置が動作可能であることを報知するため、運転ランプ４２を点灯する
【００３９】
運転ランプ４２の点灯を確認した使用者は、厨芥処理装置を動作させるために開始ボタン４０を押す。開始ボタン４０が押されたことを検知した制御手段３０は、電動機焼損防止装置５０が動作していないことを確認した後、厨芥処理装置を動作させるために通電制御手段３１を閉にして電動機１３に電流を流し、電動機１３を回転させる。
【００４０】
電動機１３が正常に回転して厨芥を処理した時は、使用者が操作盤１７の停止ボタン４１を押したのを検知するか、あるいは電動機１３が一定時間動作した後に、制御手段３０が通電制御手段３１を開にして電流を遮断し、電動機１３を停止させる。これで厨芥処理装置の正常な場合の動作が終了する。
【００４１】
また厨芥処理装置の正常な場合の動作が終了する前に使用者が蓋体１８を持ち上げた時は、蓋体検出装置２０がこれを即座に検出し、制御装置３０が通電制御手段３１を開にして電流を遮断し、電動機１３を速やかに停止させる。
このため電動機１３が回転中に、使用者が粉砕室３に誤って手などを入れることは決してなく、怪我などの事故を未然に防ぐことができる。
【００４２】
次に電動機１３の回転に異常が生じて過大な電流が流れた時の説明を行う。過大な電流が流れた時は、最初に電動機焼損防止装置５０が動作して電流が遮断され、同時に動作解除釦５５が突出することで平板５４が動き、検知釦５６が押し込まれることで焼損防止作動検出手段５３が電動機焼損防止装置５０の作動を検出する。
焼損防止作動検出手段５３からの信号で電動機焼損防止装置５０の作動を検知した制御手段３０は、通電制御手段３１を開にして電動機１３への回路を遮断すると同時に、操作盤１７の警報ランプ４３の点灯あるいはブザー３２の鳴動を行う。この時、操作盤１７の警報ランプ４３の点灯とブザー３２の鳴動の両方を行う場合もある。
【００４３】
ここで制御手段３０は前述のように常時電源が供給され動作しているので、本発明においては従来の発明と異なり、手動スイッチの代わりとなる電源スイッチ３１が開で電流が流れなくても、警報ランプ４３の点灯あるいはブザー３２の鳴動を維持することが可能である。
【００４４】
この後、電動機の回転の異常の原因を解消した使用者が操作釦５７を押すことで電動機焼損防止装置５０の動作解除釦５５が押し込まれ、電動機焼損防止装置５０の動作が解除され、焼損防止作動検出手段５３を通じてそれを検知した制御手段３０は、操作盤１７の警報ランプ４３を消灯し、ブザー３２の鳴動を停止する。
それ以降、制御手段３０は使用者の運転開始の指示を待つ状態となる。
【００４５】
図１および図４において、請求項３における実施例を説明する。
図４は厨芥処理装置の操作盤１７を示しており、これには厨芥処理装置を運転させる開始釦４０と停止させる停止釦４１のふたつの操作釦が配置されている。また操作盤１７には、厨芥処理装置の運転状態を示す運転ランプ４２と、電動機焼損防止装置１５の動作を報知するロック・ランプ４３が配置されている。
【００４６】
厨芥処理装置は電動機焼損防止装置５０が動作していなければ、開始釦４０を押すことで電動機１３が駆動を開始し、停止釦４１を押すことで電動機１３が停止する。
しかしここで電動機焼損防止装置５０が動作している場合は、開始釦４０を押しても電動機焼損防止装置５０が電動機１３への回路を遮断するため、電動機１３は駆動せず、さらに電動機焼損防止装置５０の動作を検知した制御手段３０が、電動機焼損防止装置５０の動作を報知する操作盤１７のロック・ランプ４３を点灯する。
【００４７】
ただし請求項１の厨芥処理装置では、制御手段３０はロック・ランプ４３を点灯はするものの、開始釦４０はＯＮ状態を維持している。しかし電動機焼損防止装置５０が閉になっており電動機１３が駆動していないので、使用者は開始釦４０はＯＮ状態であることに気づきにくい。
ここでこの開始釦４０をＯＦＦ状態に戻すには、使用者が停止釦４１を一度押す必要がある。
【００４８】
この開始釦４０がＯＮ状態を維持している状態で、使用者が過負荷状態を解消するために厨芥処理装置をキッチンのシンクより取り外し、過負荷状態を解除した後に電動機焼損防止装置１５をリセットすると、即座に電動機１３が回転を始めることになる。
【００４９】
もしこの時、厨芥処理装置がシンクから取り外された不安定な状態で置かれてある場合は、電動機１３の回転の反作用によって厨芥処理装置本体が動き出す恐れがあり、場合によっては使用者が怪我などをする恐れがある。
【００５０】
請求項３はこのような危険を回避するための発明であり、制御手段３０が電動機焼損防止装置５０の動作を検知すると、操作盤１７のロック・ランプ４３を点灯すると同時に、通電制御手段３１を開にして回路を遮断する。そして使用者が操作盤１７の停止釦４１を押さない限りは、開始釦４０がＯＮ状態であっても、通電制御手段３１を開にして電動機１３の駆動を防止する。
これにより使用者が電動機焼損防止装置１５をリセットしても、それだけでは厨芥処理装置の電動機１３が駆動することがなく、これによる使用者の怪我などの危険を防ぐことが可能となる。
【００５１】
そしてこの厨芥処理装置において再び粉砕を開始するには、使用者が一度明示的に操作盤１７の停止釦４１を押す必要がある。使用者が停止釦４１を押すことにより、開始釦４０がＯＦＦ状態になるとともに、制御手段３０は通電制御手段３１の開状態の維持を中止して、ロック・ランプ４３を消灯する。そして使用者があらためて開始釦４０を押すことで、制御手段３０が通電制御手段３１を閉にして電動機１３を駆動する。
【００５２】
こうやって厨芥処理装置を再動作させるために停止釦を押すなどの明示的な動作を要することは、その作業によって使用者の注意を喚起せしめ、厨芥処理装置をシンクから外した不安定な状態で動作させたり、また手をいれたまま厨芥処理装置を動作させてしまうというような、使用者の不注意による事故を防止するのに効果がある。
【００５３】
以上、本発明の実施の形態のひとつを図面によって詳述してきたが、具体的な構成はこの実施形態に限らず、発明の要旨に逸脱しない範囲の設計の変更等があってもこの発明に含まれる。
【００５４】
また操作盤１７が存在せず、蓋体検出手段２０を開始スイッチとして用いる場合や、運転ランプ４２または警報ランプ４３あるいはその両方がシンクやキッチン台上、扉面あるいは壁面に直接配置される場合も、この発明に包含される。
【００５５】
また動作解除手段として、実施例中においては動作解除釦を一例として記載しているが、動作解除手段としては、バネ、弾性体等を用いた解除手段などもこの発明に包含される。
【図面の簡単な説明】
【００５６】
【図１】本発明の実施形態の全体を示す厨芥処理装置の断面図である。
【図２】本発明の実施形態の電動機焼損防止手段と焼損防止作動検出手段を示す詳      細図である。
【図３】本発明の実施形態の制御方法を示す回路図である。
【図４】本発明の実施形態の操作盤を示す操作盤詳細図である。
【符号の説明】
【００５７】
１…シンク
２…厨芥処理装置
３…粉砕室
４…コンテナボディ
８…円板
９…回転刃
１０…固定刃
１３…電動機
１４…制御ボックス
１６…制御線
１７…操作盤
１８…蓋体
２０…蓋体検出手段
２２…投入口
３０…制御手段
３１…電源スイッチ
４０…開始ボタン
５０…電動機焼損防止装置
５３…焼損防止作動検出手段
５４…平板
５７…操作釦
【図１】
2005095840.tif 000003
【図２】
2005095840.tif 000004
【図３】
2005095840.tif 000005
【図４】
2005095840.tif 000006